【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
サドル（２）およびアンダサドルコンパートメント（３）を備えたモータサイクル（１）用のアセンブリ（２、３、４；２、３、１０４；２、３、２０４）であって、前記アンダサドルコンパートメント（３）は、コンテナ本体（３１、３２）を備え、前記コンテナ本体は、アクセス開口（３３）、下部壁（３１）、および前記下部壁で周囲を接続された側壁（３２）を備え、前記サドル（２）は、前記モータサイクル（１）の運転手のシート用の形状のサドルの第１の面（２１）、および前記アンダサドルコンパートメント（３）に面するのに適しているサドルの反対側の第２の面（２２）を備え、前記サドル（２）は、開放構成および閉鎖構成をとるように前記アンダサドルコンパートメント（３）に動作可能に連結されており、当該開放構成では前記アクセス開口（３３）を介して前記アンダサドルコンパートメント（３）および前記コンテナ本体（３１、３２）にアクセスでき、当該閉鎖構成では前記アンダサドルコンパートメント（３）を閉じ、したがって前記アンダサドルコンパートメント（３）および前記コンテナ本体（３１、３２）へのアクセスを妨げ、
前記アセンブリ（２、３、４；２、３、１０４；２、３、２０４）は、前記アンダサドルコンパートメント（３）の前記コンテナ本体（３１、３２）に収容された物体（５；２０５）をブロックするように適合された物体ブロックシステム（４；１０４；２０４）を備えることを特徴とし、前記物体ブロックシステム（４；１０４；２０４）は、
サドルの前記第２の面（２２）に固定された膨張可能な部材（６；１０６；２０６）であって、前記膨張可能な部材（６；１０６；２０６）は、休止構成と拡張構成とをとるのに適しており、
前記休止構成では、前記膨張可能な部材（６；１０６；２０６）は収縮され、前記アクセス開口（３３）を介して前記物体を前記コンテナ本体内へ挿入することができ、
前記拡張構成では、前記サドル（２）が前記閉鎖構成になっているとき、前記下部壁（３１）、前記側壁、およびサドルの前記第２の面（２２）の中の少なくとも一つに対して、前記コンテナ本体（３１、３２）に収容された前記物体をブロックするように、前記膨張可能な部材（６；１０６；２０６）は前記休止構成に対して拡張されている、
膨張可能な部材（６；１０６；２０６）と、
前記膨張可能な部材（６；１０６；２０６）を前記休止構成から前記拡張構成に拡張するのに適している、前記膨張可能な部材（６；１０６；２０６）に動作可能に連結された膨張装置（７；２０７）と、
前記膨張可能な部材（６；１０６；２０６）が前記拡張構成から前記休止構成へとなるように前記膨張可能な部材（６；１０６；２０６）を収縮させるのに適している、前記膨張可能な部材（６；１０６；２０６）に動作可能に連結された解放装置（８；２０８）とを備えており、
前記解放装置（８；２０８）は、前記サドル（２）が前記開放構成であるときは前記膨張可能な部材（６；１０６；２０６）が膨張できない解放状態を維持している、
アセンブリ（２、３、４；２、３、１０４；２、３、２０４）。
【請求項２】
前記膨張可能な部材（６；１０６）は、サドルの前記第２の面（２２）に固定されており、前記拡張構成で前記下部壁（３１）に対して前記物体（５；２０５）をブロックするのに適している、請求項１に記載のアセンブリ（２、３、４；２、３、１０４；２、３、２０４）。
【請求項３】
前記膨張装置（７）は空気ポンプ（７）を備え、前記空気ポンプ（７）は空気室（７１）を備え、前記空気室（７１）は、前記アンダサドルコンパートメント（３）、または前記アンダサドルコンパートメント（３）の外側とつながり、前記空気室（７１）へと空気を吸い込むのに適しており、前記空気室（７１）はまた、前記膨張可能な部材（６；１０６；２０６）とつながり、前記膨張可能な部材（６；１０６；２０６）を膨張させるのに適しており、前記空気ポンプ（７）は、前記空気室（７１）を圧縮するように繰り返し押すことで動作できる、請求項１または請求項２に記載のアセンブリ（２、３、４；２、３、１０４；２、３、２０４）。
【請求項４】
前記空気室は、前記サドルの前記第１の面（２１）を繰り返し押すことで、前記膨張可能な部材（６；１０６；２０６）を膨張させる前記空気室が圧縮されるように、前記サドルに収容されている、請求項１または請求項２に記載のアセンブリ（２、３、４）。
【請求項５】
前記膨張可能な部材（６）は、弾性的に変形可能な膜（６）であって、前記膜（６）とサドルの前記第２の面（２２）との間の気密性を確保するように、サドルの前記第２の面（２２）に固定された弾性的に変形可能な膜（６）を備える、請求項１または請求項２に記載のアセンブリ（２、３、４）。
【請求項６】
前記膨張可能な部材（１０６）は、サドルの前記第２の面（２２）に固定されたベローズ部材（１０６）を備え、前記物体ブロックシステム（１０４）は、前記ベローズ部材（１０６）を前記拡張構成から前記休止構成に切り替えるように、前記サドル（２）および前記ベローズ部材（１０６）に連結された弾性復帰手段（１６２）を備える、請求項１または請求項２に記載のアセンブリ（２、３、１０４）。
【請求項７】
前記閉鎖構成から前記サドル（２）を開くことができるように操作され得るロックを備え、前記物体ブロックシステム（４；１０４；２０４）は、前記ロックを操作することで前記膨張可能な部材（６；１０６；２０６）が収縮するように前記解放装置（８；２０８）を制御するように、前記ロックおよび前記解放装置（８；２０８）に動作可能に連結された制御システム（２０９）を備える、請求項１から請求項６のいずれか一項に記載のアセンブリ（２、３、４；２、３、１０４；２、３、２０４）。
【請求項８】
前記膨張可能な部材（２０６）は、環状部材（２０６）を備える、請求項１に記載のアセンブリ（２、３、２０４）。
【請求項９】
前記膨張可能な部材（２０６）は、中央開口（２６２）を備え、前記物体（２０５）は、前記拡張構成で前記中央開口（２６２）の内側で受けられ、保持されるのに適している、請求項８に記載のアセンブリ（２、３、２０４）。
【請求項１０】
請求項１から請求項９のいずれか一項に記載のアセンブリ（２、３、４；２、３、１０４；２、３、２０４）を備える、モータサイクル（１；１００）。
【手続補正２】
【補正対象書類名】明細書
【補正対象項目名】００１６
【補正方法】変更
【補正の内容】
【００１６】
モータサイクル１は、サドル２およびアンダサドルコンパートメント３を備えるアセンブリ２、３、４を備える。それ自体は既知の方法で、アンダサドルコンパートメント３は、コンテナ本体３１、コンテナ本体３２を備える。好ましい実施形態によると、コンテナ本体３１、３２は、剛性のあるコンテナ本体３１、３２である。本体３１、３２は好ましくは、閉じられた、または実質的に閉じられた底を有する。好ましくは、コンテナ本体３１、３２は、アクセス開口３３、下部壁３１、および下部壁３１で周囲を接続された側壁３２を備える。サドル２は、モータサイクル１の運転手のシート用の形状のサドルの第１の面２１、およびアンダサドルコンパートメント３に面するのに適しているサドルの反対側の第２の面２２を備える。好ましい実施形態によると、面２２は、サドルプレートの面、すなわち運転手のための支持を提供するように適合されたサドル２の剛性のある部品の面である。特に、面２２は、好ましくはサドル２のサドルプレートの下側端面である。サドル２は、開放構成（図３参照）および閉鎖構成をとるように、好ましくはヒンジ２３を介して、アンダサドルコンパートメント３に動作可能に連結されている。サドル２が開放構成のとき、アクセス開口３３を介してアンダサドルコンパートメント３およびコンテナ本体３１、３２にアクセスできる。閉鎖構成では、サドル２は、アンダサドルコンパートメント３を閉じ、したがってそのようなコンパートメント３およびコンテナ本体３１、３２へのアクセスを妨げる。つまり、それ自体は知られている方法で、閉鎖構成では、サドル２は、上部でアンダサドルコンパートメント３を閉じる蓋として機能する。再び図１から図３に関して、好適にはアセンブリ２、３、４は、第１の好ましい実施形態による物体ブロックシステム４を備える。物体ブロックシステム４によって、アンダサドルコンパートメント３のコンテナ本体３１、３２に収容された物体５がブロック（移動を阻止）され得る。実施例では、物体５は、水差し５で構成されている（網羅的ではない）。特に、物体ブロックシステム４は、サドルの第２の面２２に固定された膨張可能な部材６または拡張可能な部材６を備える。膨張可能な部材６は、コンテナ本体３１、３２に収容された物体５をブロックするように設けられたブロック部材である。再び図１から図３に関して、好ましい実施形態によると、膨張可能な部材６または拡張可能な部材６は、膜６とサドルの第２の面２２との間の気密性を確保するように、サドルの第２の面２２に固定された弾性的に変形可能な膜６を備える。膨張可能な部材６または拡張可能な部材６は、休止構成（図１、または図３での実線の描写参照）と拡張構成（図２、または図３での点線の描写参照）のそれぞれをとるのに適している。休止構成では、膨張可能な部材６は、しぼんでおり、アクセス開口３３を介して物体５をコンテナ本体３１、３２内へ挿入できる。拡張構成では、膨張可能な部材６は、休止構成に対して拡張されている。好ましい実施形態によると（描かれていない）、膨張可能な部材６は、休止構成でのサドル２の第２の面２２に付着または実質的に付着している。例えば図２から分かるように、膨張可能な部材６は、アンダサドルコンパートメント３に拡張されており、拡張構成で、かつサドル２が閉鎖構成をとっているとき、アンダサドルコンパートメント３に収容された物体５をブロックするのに適している。図２から分かるように、物体５は、膨張可能な部材６と、剛性のある本体３１、３２の下部壁３１との間でブロックされている。特に、膨張可能な部材６は、拡張構成で、かつサドル２が閉鎖構成をとっているとき、下部壁３１に対して物体５をブロックするのに適している。好ましい実施形態によると、圧力制御バルブ９１は、これ自体は公知であるが、膨張可能な部材６に関連付けられてもよい。描かれていない代替的な実施形態によると、弾性膜６は、サドル２に固定された、（例えばゴム製の）例えば膨張可能な弾性風船に置き換えられ得ることは、注目に値する。好ましくは、そのような弾性風船は、サドルプレートの下の面２２に固定されている。そのような膨張可能な弾性風船は例えば、ゴム製の氷嚢のように使用される類いの拡張可能な袋のような形状であるが、一般的な氷嚢に対して非常に柔軟な弾性的特徴を有している。そのような風船は例えば、休止構成では円盤状の形状を有しており（平坦かつ円形）、拡張構成でコンパートメント３へと拡張するように膨張するのに、そして再度しぼんで休止構成となるのに適している。膨張可能な弾性風船を備える上記解決策によって、物体ブロックシステムの圧力でより容易に密着させることができ、弾性膜６を提供する解決策に関してアセンブリの経済性を向上させることができる。